(57)【要約】      （修正有）【課題】容易に開封することができ、かつ、良好な開封性を有する軟包装袋を提供する。【解決手段】少なくとも基材にシーラント層が積層された複合プラスチックフィルムを用いて周縁等をヒートシール２して内容物収納部３を形成させた軟包装袋１において、軟包装袋の内容物収納部を形成させた複合プラスチックフィルムに折り返し部構造４が形成されている。折り返し部構造４にミシン目加工やシール加工を施すとさらに良い。【選択図】図１
2008105678.tif 000002
【特許請求の範囲】
【請求項１】
少なくとも基材にシーラント層が積層された複合プラスチックフィルムを用いて周縁をヒートシールして内容物収納部を形成させた軟包装袋において、
前記軟包装袋の内容物収納部を形成させた複合プラスチックフィルムに、シーラント層を内側にした折り返し部構造が形成されていることを特徴とする軟包装袋。
【請求項２】
前記折り返し部構造には、キズ加工やミシン目加工が施されていることを特徴とする請求項１記載の軟包装袋。
【請求項３】
前記折り返し部構造には、シール加工が施されていることを特徴とする請求項１又は２記載の軟包装袋。
【請求項４】
前記複合プラスチックフィルムのシーラント層には、イージーピールフィルムが用いられていることを特徴とする請求項１、２又は３記載の軟包装袋。
【発明の詳細な説明】
【技術分野】
【０００１】
本発明は、液体、固体、粉体、粒体等を包装する軟包装袋に関するものであり、特には、容易、かつ、良好な開封性を付与された軟包装袋に関する。
【背景技術】
【０００２】
従来、プラスチックフィルムを用いた軟包装袋は、圧縮性やフレキシブル性、コスト面において優れている反面、開封時のハンドリング性においては弊害を有している。
【０００３】
初段階の開封方法としては、はさみ等の道具を用いて開封部分を切断する方法があるが、使用者が常に道具を携帯しているわけではなく、軟包装袋の使用場所に制限があった。
【０００４】
つぎに、軟包装袋を構成する外縁シール部分に切れ目加工（ノッチ）や傷痕加工を設け、そこをきっかけとして開封する方法が挙げられる（例えば特許文献１参照）。しかし、前記加工を施すためには外縁シール部が存在することが必要条件であり、開封の場所、方向が制限されるし、必ずしも内容物の物性に即した開口部とはならない。
【０００５】
また、イージーピールフィルムを用いた軟包装袋においては、外縁シール部分からの開封性には優れるものの、軟包装袋の内容物収納部面から開封することはできない。
【０００６】
多層構成中の難切断フィルム層のみにキズ加工を施した後、貼り合わせた多層フィルムを使用した軟包装袋も挙げられる（例えば特許文献２参照）。しかしこの方法は、開封の際にキズ加工部分を折り畳んで両手で切断し、開封する必要があるなど必ずしも使い勝手の良いものではなかった。
【０００７】
また、このような方法は、あくまでも開口のきっかけとしてプラスチックフィルムの一部を切断し、あとは成り行きでフィルム切断部分を拡張させる方法であり、開口部形状はフィルムの流れ方向に左右されたり、ランダムに流れたりして必ずしも狙い通りの開口形状が得られない。
【０００８】
さらに、意図する通りの開口を得るために開口部全周にわたってミシン目カットを入れる方法がある（例えば特許文献３参照）。しかし、この場合には軟包装袋の内面と外面が導通してしまうため、完全な外部遮断が求められる内容物の包装には使用できなかった。
【０００９】
上記先行技術文献を示す。
【特許文献１】特公昭６１−３９２２８号公報。
【特許文献２】実開昭６３−１４７４５１号公報。
【特許文献３】実開昭５７−２０２９６６号公報。
【発明の開示】
【発明が解決しようとする課題】
【００１０】
本発明は、軟包装袋の開封手段に関する以上のような問題に鑑みてなされたもので、容易に開封することができ、かつ、良好な開封性を有する軟包装袋を提供することを課題とする。
【課題を解決するための手段】
【００１１】
本発明の請求項１の発明は、少なくとも基材にシーラント層が積層された複合プラスチックフィルムを用いて周縁をヒートシールして内容物収納部を形成させた軟包装袋において、前記軟包装袋の内容物収納部を形成させた複合プラスチックフィルムに、シーラント層を内側にした折り返し部構造が形成されていることを特徴とする軟包装袋である。
【００１２】
このように請求項１記載の発明によれば、少なくとも基材にシーラント層が積層された複合プラスチックフィルムを用いて周縁をヒートシールして内容物収納部を形成させた軟包装袋において、前記軟包装袋の内容物収納部を形成させた複合プラスチックフィルムに、シーラント層を内側にした折り返し部構造が形成されているので、折り返し部構造をつまんで引っ張るだけで折り返し部分の複合プラスチックフィルムは左右に二分されて、容易に軟包装袋を開封することができる。
【００１３】
また、請求項２の発明は、請求項１の発明において、前記折り返し部構造には、キズ加工やミシン目加工が施されていることを特徴とする軟包装袋である。
【００１４】
このように請求項２の発明によれば、複合プラスチックフィルムに形成された折り返し部構造には、キズ加工やミシン目加工が施されているので、キズ加工やミシン目加工が施された部分を開封のきっかけとすることができる。
【００１５】
また、請求項３の発明は、請求項１又は２の発明において、前記折り返し部構造には、シール加工が施されていることを特徴とする軟包装袋である。
【００１６】
このように請求項３の発明によれば、複合プラスチックフィルムに形成された折り返し部構造には、シール加工が施されているので、キズ加工やミシン目加工を施した部分と軟包装袋の内面が直接接触することがなく、完全に外部遮断が求められる内容物を収納することができる。
【００１７】
また、請求項４の発明は、請求項１、２又は３の発明において、前記複合プラスチックフィルムのシーラント層には、イージーピールフィルムが用いられていることを特徴とする軟包装袋である。
【００１８】
このように請求項4の発明によれば、複合プラスチックフィルムのシーラント層には、イージーピールフィルムが用いられているので、シール部分から開封する際は、シール部分から容易に剥離することができる。
【発明の効果】
【００１９】
このように本発明によれば、包装袋の端をつまんで引っ張る、という基本的な行為により容易に開封することができる。容器の胴体部分にきれいな開口部を得ることができる。カットテープ等の余計な部材を使用せず、フィルム単体で易開封機能を形成することができる。開封強度をさまざまにコントロールすることが可能である。包装材料製造時に開封機能を持たせる工程を設けるため、包装機械に余分な機能を持たせる必要がない。
【発明を実施するための最良の形態】
【００２０】
本発明を一実施形態に基づいて以下に詳細に説明する。
本発明の軟包装袋は、例えば図1に示すように、少なくとも基材（１１）にシーラント層（１２）が積層された複合プラスチックフィルム（１０）を用いて周縁等の必要部位をヒートシール（２）して内容物収納部（３）を形成させた軟包装袋（１）であり、前記軟包装袋の内容物収納部を形成させた複合プラスチックフィルム（１０）に、シーラント層（１２）を内側にした折り返し部構造（４）が形成されていることを特徴とする。
【００２１】
そして、折り返し部構造（４）に、キズ加工やミシン目加工（５）を施したり、シール加工（６）を施したりすることにより、折り返し部構造（４）から折り返された複合プラスチックフィルムを容易に左右に二分したり、キズ加工やミシン目加工を施した部分と内容物収納部の内面が直接接触することがなくなり、完全に外部と遮断することができる。
【００２２】
軟包装袋（１）の形状は、図示したピロー状三方シール袋のほかに、三方シール袋、四方シール袋、ガゼット袋、スタンディングパウチ、口栓付きパウチ等、いずれの形状であっても構わない。
【００２３】
つぎに、本発明の軟包装袋（１）に使用される複合プラスチックフィルム（１０）について、図２に基づいて説明する。複合プラスチックフィルム（１０）は少なくとも基材（１１）にシーラント層（１２）が積層された構成からなる。シーラント層（１２）には、易剥離性を有するイージーピールフィルムを使用するか、折り返し部構造の間にイージーピールフィルムを挟んでシールする方法を取っても良い。必要に応じて中間層（図示せず）等を積層させることができる。
【００２４】
基材（１１）としては、ポリエチレンテレフタレートフィルム、延伸ポリプロピレンフィルム等従来使用されているフィルム基材が好ましく使用できる。
【００２５】
シーラント層（１２）としては、イージーピールフィルム、具体的には、ポリエチレンにポリブテンを混合して作製したフィルム、低密度ポリエチレンにポリプロピレンをブレンドして作製したフィルム等が好ましく使用できる。また、シーラント層（１２）として、
ポリエチレン、ポリプロピレン等のフィルムを使用した場合、間に挟み込むイージーピールフィルムとして上記同様のフィルムが使用できる。
【００２６】
連続した複合プラスチックフィルム（１０）に、フィルムの流れ方向と垂直方向に一定間隔でミシン目加工（５）を施す（図２（ｂ）参照）。ミシン目加工（５）は最終的に開口部を形成する部分となる。この場合、ミシン目加工（５）は複合プラスチックフィルム（１０）を貫通していても、フィルムの一部のみの加工であってもどちらでも良いが、加工部分を両側から引っ張ることにより無理なく切り離しできる必要がある。
ミシン目加工の代わりに、ミシン目加工と同様の効果のある傷痕加工を施しても良い。
【００２７】
ついで、ミシン目加工により形成されたミシン目線（５）を頂点にして複合プラスチックフィルムの折り返しをシーラント層（１２）を内側にして順次行い、形成された折り返し部構造（４）をつまむような形でシーラント層（１２）を内側にした折り返し部構造にヒートシールを行う（図２（ｃ）、図２（ｄ）参照）。
【００２８】
折り返し部構造（４）のヒートシール加工は、例えば図３に示すように、折り返し部の全体をシールする全シールでも、折り返し部を部分的にシールする線シールっでもどちらでも良い。但し、包装後のフィルム内面に対して、ミシン目加工を完全に隠蔽し、かつ、ミシン目部分が開封以外の段階で容易に破れたりしないよう強度サポートするように形成する必要がある。
【００２９】
また、開封時の開封強度をコントロールする方法として、シール温度を調節したり、シール形状を工夫したり、複合プラスチックフィルムのシーラント層（１２）のイージーピールフィルムの材質を変更したりすることができる。
【００３０】
以上のような折り返し部を形成させた複合プラスチックフィルムを用いて製袋した軟包
装袋の一形態としてのピロー包装袋の一実施例を図１に示す。図１からうかがえるように、軟包装袋の内容物収納部内面と折り返し部のミシン目加工部はシールによって隔てられ、気密構造を有する。
開封時に矢印方向に左右につまんで引っ張ることによりシール加工部分がピールされて広がり、ついでミシン目が破れ開封し、軟包装袋を二分することができ、直線状にきれいな開口が得られる。
【図面の簡単な説明】
【００３１】
【図１】本発明の軟包装袋の一実施例を示す、（ａ）は斜視説明図であり、（ｂ）は（ａ）のＡ−Ａ’線断面説明図であり、（ｃ）は（ａ）のＢ−Ｂ’線断面説明図である。
【図２】（ａ）〜（ｄ）は本発明の軟包装袋に使用する折り返し部を有する複合プラスチックフィルムの製造方法の一実施例を模式的に示す平面説明図及び一部断面説明図である。
【図３】（ａ）〜（ｃ）は本発明の軟包装袋に使用する折り返し部に施されるシール加工の形状    を模式的に示したもので、斜線部分がシールされている部分を示し、（ａ）は折り返し部全体をシールした全シールを、（ｂ）は折り返し部の一部分をシールした線シールを、（ｃ）はシール形状を工夫した部分シールを表す。
【符号の説明】
【００３２】
１‥‥軟包装袋
２‥‥周縁等、ヒートシール部分
３‥‥内容物収納部
４‥‥折り返し部構造
５‥‥ミシン目加工、キズ加工
６‥‥シール加工
１０‥‥複合プラスチックフィルム
１１‥‥基材
１２‥‥シーラント層
２０‥‥内容物
【図１】
2008105678.tif 000003
【図２】
2008105678.tif 000004
【図３】
2008105678.tif 000005